(57)【要約】【課題】デュエット相手が感じるストレスを反映させた歌唱評価を行うことが可能なカラオケ装置を提供する。【解決手段】カラオケ楽曲を選曲する第１の歌唱者、及びデュエット歌唱を行う第２の歌唱者が利用するカラオケ装置であって、カラオケ楽曲を歌唱することにより得られた歌唱音声から抽出した歌唱音声データを採点することにより採点値を算出する採点処理部、歌唱者が感じるストレス値を検出するストレス値検出部、第１の歌唱者の採点値と、第２の歌唱者のストレス値とに基づいて、第１の歌唱者の歌唱を評価するカラオケ歌唱評価部を有するカラオケ装置。【選択図】図２
2019117281.tif 000002
【特許請求の範囲】
【請求項１】
カラオケ楽曲を選曲する第１の歌唱者、及び当該第１の歌唱者と選曲されたカラオケ楽曲のデュエット歌唱を行う第２の歌唱者が利用するカラオケ装置であって、
前記カラオケ楽曲を歌唱することにより得られた歌唱音声から抽出した歌唱音声データを、音高、音量及び歌唱技法の少なくとも一つに基づいて採点することにより採点値を算出する採点処理部と、
歌唱者が感じるストレス値を検出するストレス値検出部と、
前記採点処理部により採点された前記第１の歌唱者の採点値と、前記ストレス値検出部により検出された前記第２の歌唱者のストレス値とに基づいて、前記第１の歌唱者の歌唱を評価するカラオケ歌唱評価部と、
を有するカラオケ装置。
【請求項２】
前記ストレス値検出部は、歌唱者の歌唱音声信号を分析することにより、前記ストレス値を検出することを特徴とする請求項１記載のカラオケ装置。
【請求項３】
前記ストレス値検出部は、マイクを保持する歌唱者の体の振動または脈波検出信号を分析することにより、前記ストレス値を検出することを特徴とする請求項１記載のカラオケ装置。
【請求項４】
カラオケ楽曲の演奏を制御する演奏制御部を有し、
前記ストレス値検出部は、前記カラオケ楽曲の歌唱区間毎にストレス値を検出し、
前記演奏制御部は、前記第２の歌唱者のストレス値が、所定数の歌唱区間において所定値を上回った場合に前記カラオケ楽曲の演奏を停止することを特徴とする請求項１〜３のいずれか一つに記載のカラオケ装置。
【請求項５】
前記ストレス値検出部は、デュエット歌唱を行う前の歌唱者が感じている初期ストレス値を予め検出し、
前記カラオケ歌唱評価部は、前記第２の歌唱者のストレス値、及び前記第２の歌唱者の初期ストレス値に基づいて、前記デュエット歌唱に伴う前記第２の歌唱者のストレス値の変化を評価することを特徴とする請求項１〜４のいずれか一つに記載のカラオケ装置。
【発明の詳細な説明】
【技術分野】
【０００１】
本発明はカラオケ装置に関する。
【背景技術】
【０００２】
カラオケの楽しみ方の一つにデュエット歌唱がある。たとえば、複数人でカラオケボックスを利用する場合には、参加者同士がデュエット歌唱で盛り上がることができる。また、ナイト店においては、店舗の女性スタッフ（または男性スタッフ）とのデュエット歌唱を楽しむために来店する男性利用者（または女性利用者）も少なくない。
【０００３】
このようなデュエット歌唱の楽しみ方を更に広げるために、デュエット歌唱を歌唱者別に採点したり、二人の歌唱者の相性を診断したりする技術が知られている。
【０００４】
たとえば、特許文献１には、デュエット曲を予約したユーザがパートナーを選択してデュエット歌唱する際に、ユーザとパートナーの歌唱をそれぞれ適切に採点するカラオケシステムが開示されている。
【０００５】
また、特許文献２には、楽曲の模範的な歌い方から外れていている場合に、デュエット歌唱する二人の歌い方が同じように外れているのであれば、その二人の相性がよいと判断するカラオケ装置が開示されている。
【０００６】
更に、特許文献３には、通信デュエットを行っている歌唱者同士の相性評価値に基づいて、相手の歌唱映像の表示態様を制御する技術が開示されている。
【０００７】
一方、近年になって、カラオケ歌唱には、ストレス解消効果があることが知られるようになってきている。そこで、特許文献４には、利用者に対してカラオケ歌唱による実効的なストレス解消を支援して利用者の満足度の向上を図る技術が開示されている。具体的には、遠隔入出力装置のストレス値検出手段に設けられた電極により、利用者のログイン操作時に第１ストレス値を検出させ、ログアウト操作時に第２ストレス値を検出させて利用者ストレス情報として記憶し、ストレス解消度演算手段において当該第１ストレス値及び第２ストレス値に基づいてストレス解消値を演算し、報知手段において演算された当該ストレス解消値を当該利用者がログアウトする時に報知する技術が開示されている。
【０００８】
また、利用者の緊張度合いを検出する技術として、たとえば、特許文献５には、人体の振動を検出する振動検出手段を備えたカラオケマイク、振動検出手段の検出信号から人体固有振動に相当する周波数成分を抽出する信号濾過手段、及び信号濾過手段を介して得られた抽出信号を予め設定した基準値と比較して緊張度を判定する判定手段等を備えるカラオケシステムが開示されている。また、特許文献６には、利用者の歌唱音声に基づいて緊張状態を検出する検出処理を実行するカラオケ装置が開示されている。或いは、特許文献７には、生体から検出した脈波波形を利用して、生体のリラックス状態を判定することが可能なリラックス指導装置が開示されている。
【先行技術文献】
【特許文献】
【０００９】
【特許文献１】特開２００８−２５０１８６号公報
【特許文献２】特開２００６−２５９２３７号公報
【特許文献３】特開２０１５−０４０９９５号公報
【特許文献４】特開２０１５−１７２７０１号公報
【特許文献５】特開２００７−２２５９９３号公報
【特許文献６】特開２０１７−０４５０１８号公報
【特許文献７】特開平１０−０７６０１２号公報
【発明の概要】
【発明が解決しようとする課題】
【００１０】
ところで、デュエット歌唱本来の醍醐味は、対象となるカラオケ楽曲を選曲する歌唱者（以下、「第１の歌唱者」）だけでなく、第１の歌唱者と一緒にデュエット歌唱を行うパートナー（以下、「第２の歌唱者」）もカラオケ歌唱を楽しめることにある。すなわち、第１の歌唱者及び第２の歌唱者それぞれのカラオケ歌唱を評価する際には、デュエット相手がストレスを感じることなくカラオケ歌唱を楽しめたかどうかを考慮することが好ましい。
【００１１】
本発明の目的は、デュエット相手が感じるストレスを反映させた歌唱評価を行うことが可能なカラオケ装置を提供することにある。
【課題を解決するための手段】
【００１２】
上記目的を達成するための主たる発明は、カラオケ楽曲を選曲する第１の歌唱者、及び当該第１の歌唱者と選曲されたカラオケ楽曲のデュエット歌唱を行う第２の歌唱者が利用するカラオケ装置であって、前記カラオケ楽曲を歌唱することにより得られた歌唱音声から抽出した歌唱音声データを、音高、音量及び歌唱技法の少なくとも一つに基づいて採点することにより採点値を算出する採点処理部と、歌唱者が感じるストレス値を検出するストレス値検出部と、前記採点処理部により採点された前記第１の歌唱者の採点値と、前記ストレス値検出部により検出された前記第２の歌唱者のストレス値とに基づいて、前記第１の歌唱者の歌唱を評価するカラオケ歌唱評価部と、を有するカラオケ装置である。
本発明の他の特徴については、後述する明細書及び図面の記載により明らかにする。
【発明の効果】
【００１３】
本発明によれば、デュエット相手が感じるストレスを反映させた歌唱評価を行うことができる。
【図面の簡単な説明】
【００１４】
【図１】実施形態に係るカラオケ装置のハードウェア構成例を示す図である。
【図２】実施形態に係る装置本体のソフトウェア構成例を示す図である。
【図３】実施形態に係るストレス値を示した図である。
【図４】実施形態に係るカラオケ装置の処理を示すフローチャートである。
【図５】変形例２に係るストレス値を示した図である。
【図６】変形例２に係る装置本体のソフトウェア構成例を示す図である。
【発明を実施するための形態】
【００１５】
＜実施形態＞
図１〜図４を参照して、本実施形態に係るカラオケ装置１について説明する。本実施形態において、第１の歌唱者は、カラオケ楽曲を選曲する歌唱者であり、第２の歌唱者は、選曲されたカラオケ楽曲を第１の歌唱者と共にデュエット歌唱する歌唱者である。
【００１６】
＝＝カラオケ装置＝＝
カラオケ装置１は、歌唱者が選曲したカラオケ楽曲の演奏及び歌唱者が演奏に合わせてカラオケ歌唱を行うための装置である。図１に示すように、カラオケ装置１は、カラオケ本体１０、スピーカ２０、表示装置３０、マイク４０ａ、マイク４０ｂ及びリモコン装置５０を備える。
【００１７】
スピーカ２０はカラオケ本体１０からの放音信号に基づいて放音するための構成である。表示装置３０はカラオケ本体１０からの信号に基づいて映像や画像を画面に表示するための構成である。マイク４０ａ及びマイク４０ｂは、歌唱者の歌唱音声（マイク４０ａまたはマイク４０ｂへの入力音声）をアナログの歌唱音声信号に変換してカラオケ本体１０に入力するための構成である。デュエット歌唱を行う場合、第１の歌唱者及び第２の歌唱者それぞれが、別々のマイクを持ってカラオケ歌唱を行う。
【００１８】
（カラオケ本体のハードウェア）
図１に示すように、カラオケ本体１０は、制御部１１、通信部１２、記憶部１３、音響処理部１４、表示処理部１５及び操作部１６を備える。各構成はインターフェース（図示なし）を介してバスＢに接続されている。
【００１９】
カラオケ本体１０は、選曲されたカラオケ楽曲の演奏制御、歌詞や背景画像等の表示制御、マイク４０ａまたはマイク４０ｂを通じて入力された歌唱音声信号の処理といった、カラオケ歌唱に関する各種の制御を行う。
【００２０】
制御部１１は、ＣＰＵ１１ａおよびメモリ１１ｂを備える。ＣＰＵ１１ａは、メモリ１１ｂに記憶された動作プログラムを実行することにより各種の制御機能を実現する。メモリ１１ｂは、ＣＰＵ１１ａに実行されるプログラムを記憶したり、プログラムの実行時に各種情報を一時的に記憶したりする記憶装置である。
【００２１】
通信部１２は、ルーター（図示なし）を介してカラオケ本体１０を通信回線に接続するためのインターフェースを提供する。
【００２２】
記憶部１３は、各種のデータを記憶する大容量の記憶装置であり、たとえばハードディスクドライブなどである。記憶部１３は、カラオケ装置１により演奏を行うための複数の楽曲データを記憶する。
【００２３】
楽曲データは、個々のカラオケ楽曲を特定するための識別情報（楽曲ＩＤ）が付与されている。楽曲データは、伴奏データ、リファレンスデータ、背景画像データ、歌詞データ及び属性情報を含む。伴奏データは、カラオケ演奏音の元となるＭＩＤＩ形式のデータである。リファレンスデータは、歌唱者によるカラオケ歌唱を採点する際の基準として用いられるデータである。リファレンスデータは、ピッチ（音高）データ、音長データ、タイミングデータ等を含む。背景画像データは、カラオケ演奏時に合わせて表示装置３０等に表示される背景画像に対応するデータである。歌詞データは、表示装置３０等に表示させる歌詞（歌詞テロップ）に関するデータである。属性情報は、曲名、歌手名、作詞・作曲者名、及びジャンル等の当該カラオケ楽曲に関する情報である。
【００２４】
音響処理部１４は、制御部１１の制御に基づき、カラオケ楽曲に対する演奏の制御およびマイク４０ａまたはマイク４０ｂを通じて入力された歌唱音声信号の処理を行う。音響処理部１４は、たとえばＭＩＤＩ音源、ミキサ、アンプ（いずれも図示なし）を含む。制御部１１は、予約されたカラオケ楽曲の伴奏データを、テンポクロック信号に基づいて順次読み出し、ＭＩＤＩ音源に入力する。ＭＩＤＩ音源は、当該伴奏データに基づいて楽音信号を生成する。ミキサは、当該楽音信号と、マイク４０ａまたはマイク４０ｂから出力される歌唱音声信号とを適当な比率でミキシングしてアンプに出力する。アンプは、ミキサからのミキシング信号を増幅し、放音信号としてスピーカ２０へ出力する。これにより、スピーカ２０からは放音信号に基づくカラオケ演奏音およびマイク４０ａまたはマイク４０ｂからの歌唱音声が放音される。デュエット歌唱を行う場合、マイク４０ａ及びマイク４０ｂからの歌唱音声が同時に放音される。
【００２５】
表示処理部１５は、制御部１１の制御に基づき、表示装置３０における各種表示に関する処理を行う。たとえば、表示処理部１５は、演奏時における背景画像に歌詞や各種アイコンが重ねられた映像を表示装置３０に表示させる制御を行う。
【００２６】
操作部１６は、パネルスイッチおよびリモコン受信回路などからなり、歌唱者によるカラオケ装置１のパネルスイッチあるいはリモコン装置５０の操作に応じて選曲信号、演奏中止信号などの操作信号を制御部１１に対して出力する。制御部１１は、操作部１６からの操作信号を検出し、対応する処理を実行する。
【００２７】
リモコン装置５０は、カラオケ本体１０に対する各種操作をおこなうための装置である。歌唱者はリモコン装置５０を用いて歌唱を希望するカラオケ楽曲の選曲（予約）等を行うことができる。
【００２８】
（カラオケ本体のソフトウェア）
図２はカラオケ本体１０のソフトウェア構成例を示す図である。カラオケ本体１０は、採点処理部１００、ストレス値検出部２００、カラオケ歌唱評価部３００、及び演奏制御部４００を備える。採点処理部１００、ストレス値検出部２００、カラオケ歌唱評価部３００、及び演奏制御部４００は、ＣＰＵ１１ａがメモリ１１ｂに記憶されるプログラムを実行することにより実現される。
【００２９】
［採点処理部］
採点処理部１００は、カラオケ楽曲を歌唱することにより得られた歌唱音声から抽出した歌唱音声データを、音高、音量及び歌唱技法の少なくとも一つに基づいて採点することにより採点値を算出する。
【００３０】
歌唱の採点は、公知の技術を利用することができる。たとえば、採点処理部１００は、マイク４０ａから入力された歌唱音声信号から、ピッチ（音高）データ、音量データ等の歌唱音声データを抽出し、楽曲のリファレンスデータと比較することにより、採点値を算出する。
【００３１】
また、第１の歌唱者と第２の歌唱者でデュエット歌唱を行う場合、採点処理部１００は、第１の歌唱者のカラオケ歌唱に対する採点処理と、第２の歌唱者のカラオケ歌唱に対する採点処理とを個別に行い、それぞれの採点値を算出することができる。
【００３２】
［ストレス値検出部］
ストレス値検出部２００は、歌唱者が感じるストレス値を検出する。
【００３３】
ストレスは、歌唱者にかかる精神的圧力（不安、緊張、嫌悪感等）や精神的圧力に伴う肉体的な変化（震え、めまい等）のような歌唱者が感じる負荷である。ストレス値は、歌唱者が感じるストレスを数値（たとえば、０点（ストレス低）〜１００点（ストレス高））やランク（Ａ（ストレス低）〜Ｅ（ストレス高））で示したものである。ストレス値の検出は、たとえば、所定の歌唱区間毎に行われる。本実施形態において、ストレス値検出部２００は、歌唱区間毎のストレスを数値として検出する。
【００３４】
ストレス値の検出は、公知の技術を用いることができる。たとえば、ストレス値検出部２００は、歌唱者の歌唱音声信号を分析することにより、ストレス値を検出することができる。具体的に、ストレスを感じている場合には、それが歌唱音声の震え（音高の揺れのバラツキ）となって現れることが知られている。そこで、ストレス値検出部２００は、歌唱音声信号を分析し、音高の揺れのバラツキの大きさやその度合いに基づいてストレス値を検出することができる（詳細は特許文献６を参照）。
【００３５】
また、ストレス値検出部２００は、マイク４０ａまたはマイク４０ｂを保持する歌唱者の体の振動を分析することにより、ストレス値を検出することも可能である。この場合、各マイクには、振動検出部及び転送部（いずれも図示無し）が設けられている。振動検出部は、デュエット歌唱に伴って歌唱者の体の振動を検出する。転送部は、振動検出部が体の振動を検出した場合、その信号（検出信号）をストレス検出部２００に転送する。ストレス検出部２００は、当該検出信号から人体固有振動に相当する周波数成分を抽出し、予め設定した基準値と比較することでストレスの度合いを判定する。そして、ストレス値検出部２００は、判定結果に基づいてストレス値を決定する（詳細は特許文献５を参照）。
【００３６】
或いは、マイク４０ａまたはマイク４０ｂを保持する歌唱者の脈波を分析することにより、ストレス値を検出することも可能である。この場合、各マイクには、脈波を検出する脈波検出部及び転送部（いずれも図示無し）が設けられている。脈波検出部は、デュエット歌唱に伴って歌唱者の脈波を検出する。転送部は、脈波検出部が検出した脈波検出信号をストレス検出部２００に転送する。ストレス検出部２００は、脈波検出信号を分析してストレスの度合いを判定する。そして、ストレス値検出部２００は、判定結果に基づいてストレス値を決定する（詳細は特許文献７を参照）。
【００３７】
また、第１の歌唱者と第２の歌唱者でデュエット歌唱を行う場合、ストレス値検出部２００は、第１の歌唱者の歌唱音声に対するストレス値検出と、第２の歌唱者の歌唱音声に対するストレス値検出とを個別に行い、それぞれのストレス値を検出することができる。
【００３８】
図３は、カラオケ楽曲Ｘのデュエット歌唱における第２の歌唱者のストレス値の例を示す。この例ではストレス値の最大値を１００点、最小値を０点とした１００点満点で示している。
【００３９】
ストレス値は、歌唱者が感じるストレスに応じて変化する。たとえば、図３における歌唱区間Ａ及びＢのように、歌唱し始めで緊張の度合いが強い場合には、ストレス値が高くなる。その後、楽しくカラオケ歌唱を行えている場合には、ストレス値が徐々に低くなり（図３における歌唱区間Ｃ、Ｄの値を参照）、ストレス値が低いまま推移する（図３における歌唱区間Ｆ〜Ｈの値を参照）。一方、音程を外して、聴衆から冷やかされた場合等、楽しくカラオケ歌唱を行えない状況が生じた場合には、ストレス値が高くなる（図３における歌唱区間Ｅの値を参照）。
【００４０】
［カラオケ歌唱評価部］
カラオケ歌唱評価部３００は、採点処理部１００により採点された採点値と、ストレス値検出部２００により検出されたストレス値とに基づいて、デュエット歌唱を行う個々の歌唱者の歌唱を評価する。
【００４１】
歌唱の評価は、カラオケ楽曲のリファレンスデータに沿った歌唱が行われたか、及びデュエット相手がストレスを感じることなくデュエット歌唱を楽しめたかどうかを総合的に評価することにより行う。
【００４２】
本実施形態に係るカラオケ歌唱評価部３００は、採点処理部１００により採点された第１の歌唱者の採点値と、ストレス値検出部２００により検出された第２の歌唱者のストレス値とに基づいて、第１の歌唱者の歌唱を評価する。
【００４３】
たとえば、図３のようなストレス値が得られた場合、カラオケ歌唱評価部３００は、全歌唱区間のストレス値の平均値（（８０点＋６５点＋３０点＋１０点＋５５点＋１０点＋５点＋５点）／８）を第２の歌唱者のストレス値（３２．５点）とする。また、カラオケ楽曲Ｘをデュエット歌唱した第１の歌唱者のカラオケ歌唱に対する採点結果が８５．７５点であったとする。
【００４４】
この場合、カラオケ歌唱評価部３００は、これらの値を用いて第１の歌唱者の歌唱評価を行う。たとえば、「第１の歌唱者の採点結果：第２の歌唱者のストレス値＝１０：２」の重み付けが設定されている場合、カラオケ歌唱評価部３００は、（８５．７５点）−（３２．５点×０．２）＝７９．２５点を第１の歌唱者の歌唱評価の値として算出する。すなわち、デュエット歌唱を行った相手が全くストレスを感じていない場合（第２の歌唱者のストレス値が０の場合）には、第１の歌唱者の採点結果は減点されない。逆に、デュエット歌唱を行った相手が最大のストレスを感じている場合（第２の歌唱者のストレス値が１００の場合）には、第１の歌唱者の採点結果は２０点減点される。
【００４５】
カラオケ歌唱評価部３００は、評価結果を歌唱者に提示することができる。たとえば、カラオケ歌唱評価部３００は、算出したスコアを表示装置３０に表示させることが可能である。或いは、カラオケ歌唱評価部３００は、第１の歌唱者の歌唱評価として、採点処理部１００による第１の歌唱者の採点値と、第２の歌唱者のストレス値とを別々に表示させることでもよい。
【００４６】
［演奏制御部］
演奏制御部４００は、カラオケ楽曲の演奏を制御する。具体的に、演奏処理部４００は、リモコン装置５０等を介して楽曲の楽曲ＩＤの入力を受けると、当該楽曲ＩＤに対応する楽曲データを記憶部１３から読み出し、カラオケ楽曲の演奏を開始する。
【００４７】
＝＝カラオケ装置１の動作について＝＝
次に、図４を参照して本実施形態におけるカラオケ装置１の動作の具体例について述べる。図４は、カラオケ装置１の動作例を示すフローチャートである。ここでは、第１の歌唱者が選曲したカラオケ楽曲Ｘについて、第２の歌唱者と共にデュエット歌唱を行い、第１の歌唱者の歌唱を評価する例について述べる。
【００４８】
カラオケ装置１は、第１の歌唱者が選曲したカラオケ楽曲Ｘの伴奏データに基づいてカラオケ演奏を行う（カラオケ演奏。ステップ１０）。第１の歌唱者及び第２の歌唱者は演奏に合わせてデュエット歌唱を行う。
【００４９】
カラオケ楽曲Ｘのデュエット歌唱が終了した後、採点処理部１００は、カラオケ楽曲Ｘを歌唱することにより得られた第１の歌唱者の歌唱音声から抽出した歌唱音声データをリファレンスデータと比較することで、採点値を算出する（第１の歌唱者の採点値を算出。ステップ１１）。
【００５０】
一方、ストレス値検出部２００は、カラオケ楽曲Ｘを歌唱することにより得られた第２の歌唱者の歌唱音声信号を分析し、歌唱区間毎にストレス値を検出する（第２の歌唱者のストレス値を検出。ステップ１２）。
【００５１】
カラオケ歌唱評価部３００は、ステップ１１で算出された第１の歌唱者の採点値と、ステップ１２で検出された第２の歌唱者のストレス値とに基づいて、第１の歌唱者の歌唱を評価する（第１の歌唱者の歌唱評価。ステップ１３）。
【００５２】
なお、上記例では、カラオケ楽曲Ｘのデュエット歌唱が終了した後に各種処理を実行する例について述べたが、ストレス値の検出は、一の歌唱区間のカラオケ歌唱が終了する毎に順次行われることでもよい。たとえば、歌唱区間Ａのデュエット歌唱終了後にステップ１２の処理を行い、歌唱区間Ｂの歌唱終了後にステップ１２の処理を行い、歌唱区間Ｃの歌唱終了後に・・・・というように、デュエット歌唱の進行に合わせてカラオケ楽曲Ｘの終了までステップ１２の処理を繰り返し行ってもよい。
【００５３】
このように本実施形態に係るカラオケ装置１は、カラオケ楽曲Ｘを歌唱することにより得られた歌唱音声から抽出した歌唱音声データを、音高、音量及び歌唱技法の少なくとも一つに基づいて採点することにより採点値を算出する採点処理部１００と、歌唱者が感じるストレス値を検出するストレス値検出部２００と、採点処理部１００により採点された第１の歌唱者の採点値と、ストレス値検出部２００により検出された前記第２の歌唱者のストレス値とに基づいて、第１の歌唱者の歌唱を評価するカラオケ歌唱評価部３００と、を有する。
【００５４】
このように、第１の歌唱者の歌唱を評価する際に、第１の歌唱者の歌唱に基づく採点値だけでなく、一緒にデュエット歌唱を行った第２の歌唱者のストレス値を考慮することで、デュエット相手（第２の歌唱者）がストレスを感じることなくデュエット歌唱を楽しめたかどうかという観点を評価に含めることができる。すなわち、本実施形態に係るカラオケ装置１によれば、デュエット相手が感じるストレスを反映させた歌唱評価を行うことができる。
【００５５】
また、ストレス値検出部２００は、歌唱者の歌唱音声信号を分析することにより、ストレス値を検出することができる。或いは、ストレス値検出部２００は、マイク４０ａ及び／またはマイク４０ｂを保持する歌唱者の体の振動や脈波検出信号を分析することにより、ストレス値を検出することもできる。
【００５６】
このように、歌唱者の歌唱音声信号や体の振動、或いは脈波検出信号を分析してストレス値を検出することにより、歌唱者が実際に感じているストレスをデュエット相手の歌唱評価により正確に反映させることができる。
【００５７】
＜変形例１＞
上記実施形態では、第１の歌唱者の歌唱評価を行う例について述べたが、第２の歌唱者の歌唱評価を行ってもよい。この場合、カラオケ歌唱評価部３００は、採点処理部１００により採点された第２の歌唱者の採点値と、ストレス値検出部２００により検出された第１の歌唱者のストレス値とに基づいて、第２の歌唱者の歌唱を評価する。
【００５８】
たとえば、上記実施形態の例において、楽曲Ｘをデュエット歌唱した第２の歌唱者のカラオケ歌唱に対する採点結果が８３．５５点であり、ストレス値検出部２００により検出された第１の歌唱者のストレス値の平均値が１０．８７点であったとする。
【００５９】
この場合、カラオケ歌唱評価部３００は、これらの値を用いて第２の歌唱者の歌唱評価を行う。たとえば、「第２の歌唱者の採点結果：第１の歌唱者のストレス値＝１０：２」の重み付けが設定されている場合、カラオケ歌唱評価部３００は、（８３．５５点）−（１０．８７点×０．２）＝８１．３８点を第２の歌唱者の歌唱評価の値として算出する。
【００６０】
この例では、採点値は第１の歌唱者の方が高い値（第１の歌唱者：８５．７５点、第２の歌唱者：８３．５５点）を示している。一方、第１の歌唱者はデュエット歌唱を楽しんだと考えられるが（ストレス値：１０．８７点）、第２の歌唱者はデュエット歌唱をそれほど楽しんでいないことが分かる（ストレス値：３２．５点）。このような場合、最終的な歌唱評価は、第１の歌唱者の方が低くなる。
【００６１】
＜変形例２＞
上司（第１の歌唱者）が部下（第２の歌唱者）に対してデュエットを強要する場合等、第２の歌唱者にとって好ましくない状況でデュエット歌唱が行われる場合がある。このような場合、第２の歌唱者は、デュエット歌唱を終了したい一方で、自らリモコン装置５０を使って演奏停止を行うことが困難である。
【００６２】
そこで、演奏制御部４００は、第２の歌唱者のストレス値が、所定数の歌唱区間において所定値を上回った場合にカラオケ楽曲の演奏を停止することでもよい。所定数及び所定値は、カラオケ楽曲の演奏の停止を判断するための基準となる値である。所定数及び所定値は、任意の値を予め設定することができる。
【００６３】
たとえば、所定数を「３」、所定値を「５０点」と定めたとする。一方、第２の歌唱者のストレス値を歌唱区間毎に算出した結果、図５に示したような値を示したとする。この場合、第２の歌唱者のストレス値が、４つの歌唱区間において５０点を上回っている。この場合、演奏制御部４００は、カラオケ楽曲の演奏を自動で停止させる。なお、演奏制御部４００は、所定値を上回るストレス値が連続して所定数だけ続いた場合（たとえば図５のように５０点以上が３回連続で続いた場合）に演奏を停止させることでもよいし、所定値を上回るストレス値が所定数に達した場合（たとえば、５０点以上が３回発生した場合）に演奏を停止させることでもよい。このような構成により、デュエット歌唱を強制的に終了させることができる。従って、第１の歌唱者に対しては、歌唱評価の一環としてペナルティを付与することができる。また、第２の歌唱者は、乗り気でないデュエット歌唱を続ける必要がないため、ストレスを感じることなく、カラオケ歌唱の場を楽しむことができる。
【００６４】
更に、たとえば、第２の歌唱者にとって好ましくない状況でデュエット歌唱が行われる場合として、カラオケ楽曲の選曲が妥当ではない場合がある。このような場合、第２の歌唱者は、自己の得意な楽曲や歌唱経験のある楽曲であればストレスを感じることなく、気持ちよくデュエット歌唱を行うことができる場合もある。
【００６５】
ここで、図６は本変形例に係るカラオケ本体１０のソフトウェア構成例を示す図である。カラオケ本体１０は、採点処理部１００、ストレス値検出部２００、カラオケ歌唱評価部３００、演奏制御部４００、及びリコメンド楽曲提示部５００を備える。採点処理部１００、ストレス値検出部２００、カラオケ歌唱評価部３００、演奏制御部４００、及びリコメンド楽曲提示部５００は、ＣＰＵ１１ａがメモリ１１ｂに記憶されるプログラムを実行することにより実現される。
【００６６】
リコメンド楽曲提示部５００は、カラオケ楽曲の演奏を停止した後、第２の歌唱者の歌唱履歴からデュエット歌唱を行うためのリコメンド楽曲を検索して提示する。
【００６７】
歌唱履歴は、歌唱者が過去に行ったカラオケ歌唱に関する情報である。歌唱履歴は、たとえば、歌唱した楽曲名、歌唱日時、歌唱の採点結果等が含まれている。また、本変形例において、歌唱履歴には、歌唱したカラオケ楽曲毎に、デュエット歌唱を行ったかどうかを識別する識別情報及びカラオケ歌唱の際に検出されたストレス値が含まれている。歌唱履歴は、各歌唱者の識別子（歌唱者ＩＤ）と関連付けて記憶部１３（或いは、サーバ装置（図示無し））に記憶されている。
【００６８】
具体的に、演奏制御部４００がカラオケ楽曲の演奏を停止した後、リコメンド楽曲提示部５００は、記憶部１３から第２の歌唱者の歌唱履歴を読み出し、第２の歌唱者が過去に歌唱したカラオケ楽曲の中からデュエット歌唱を行った楽曲を特定し、表示装置３０等に「デュエット歌唱にお勧めのカラオケ楽曲」として表示させる。また、第２の歌唱者が過去にデュエット歌唱したカラオケ楽曲が複数ある場合、リコメンド楽曲提示部５００は、該当する全てのカラオケ楽曲を提示してもよいし、その中で最もストレス値が低いまたは歌唱評価が高いカラオケ楽曲（すなわち、最もデュエット歌唱を楽しんだと考えられるカラオケ楽曲）をリコメンド楽曲として提示してもよい。このような構成により、第２の歌唱者がデュエット歌唱を望むカラオケ楽曲を提示することができる。従って、第１の歌唱者は、デュエット歌唱した第２の歌唱者が楽しめる楽曲を認識できるため、次に当該第２の歌唱者とデュエット歌唱を行う機会において歌唱評価を改善することができる。また、第２の歌唱者は、自己が歌唱し易いカラオケ楽曲でデュエット歌唱がやり易くなるため、ストレスを感じることなく、カラオケ歌唱の場を楽しむことができる。
【００６９】
＜変形例３＞
歌唱評価の一つとして、カラオケ歌唱によりどれくらいストレスが解消されたか（ストレス解消効果）を求めることも可能である。この場合、ストレス値検出部２００は、デュエット歌唱を行う前の歌唱者が感じている初期ストレス値を予め検出する。初期ストレス値の検出は公知の手法（たとえば、特許文献４や特許文献７記載の技術を参照）を用いることができる。
【００７０】
たとえば、上記実施形態のように、第１の歌唱者が選曲したカラオケ楽曲Ｘについて、第２の歌唱者と共にデュエット歌唱を行うとする。この場合、ストレス検出部２００は、第２の歌唱者の初期ストレス値Ｓ１を予め検出する。
【００７１】
第１の歌唱者及び第２の歌唱者はカラオケ演奏に合わせて楽曲Ｘのデュエット歌唱を行う。カラオケ楽曲Ｘのデュエット歌唱が終了した後、ストレス値検出部２００は、カラオケ楽曲Ｘを歌唱することにより得られた第２の歌唱者の歌唱音声信号を分析し、ストレス値Ｓ２を検出する。
【００７２】
カラオケ歌唱評価部３００は、初期ストレス値Ｓ１、及び検出された第２の歌唱者のストレス値Ｓ２に基づいて、デュエット歌唱に伴う第２の歌唱者のストレス値の変化を評価する。たとえば、初期ストレス値Ｓ１（６０点）に対し、検出されたストレス値Ｓ２（３０点）であったとする。この場合、カラオケ歌唱により第２の歌唱者のストレス値が減少している。すなわち、第２の歌唱者は、デュエット歌唱によりストレスを解消できたこととなる。このように、本変形例の構成によれば、歌唱者がデュエット歌唱によりストレス解消ができたかどうかを評価することができる。なお、カラオケ歌唱評価部３００は、評価結果であるストレス値の変化を、第１の歌唱者の歌唱評価等と合わせて、歌唱者に提示することができる。なお、複数の第１の歌唱者について、第２の歌唱者（デュエット歌唱を行った相手）のストレス解消評価をスコア化し、ランキングデータを生成して提示してもよい。これにより、上位の第１の歌唱者はより多くの第２の歌唱者からデュエット歌唱を求められることが期待できる。一方、下位の第１の歌唱者はデュエット歌唱を避けられることが予想されるため、第１の歌唱者が第２の歌唱者に対する心遣いを改善しようというモチベーションが高まる。すなわち、第２の歌唱者は、ストレスを感じることなく、カラオケ歌唱の場を楽しむことができるようになる。
【００７３】
＜その他＞
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００７４】
１  カラオケ装置
１００  採点処理部
２００  ストレス値検出部
３００  カラオケ歌唱評価部
４００  演奏制御部
【図１】
2019117281.tif 000003
【図２】
2019117281.tif 000004
【図３】
2019117281.tif 000005
【図４】
2019117281.tif 000006
【図５】
2019117281.tif 000007
【図６】
2019117281.tif 000008